(57)【要約】      （修正有）【課題】ハンドル等の他の操作部材の操作性やリール保持性などに影響を及ぼすことなく、所望の制動力常用範囲（所望の最大制動力）をもたらす回動操作範囲（回動位置）である設定制動範囲（位置）が容易に調整し直すことができる制動力調節用の回転操作部材及びそのような回転操作部材を備える魚釣用リールを提供する。【解決手段】魚釣用リールは、ハンドル１０が設けられるリール本体の一方の側板３ｂに回転自在に支持された制動力調節用の回転操作部材６０の回転操作によってスプールと一体回転するスプール軸の釣糸繰り出し方向の回転に制動力を付与するスプール制動機構を備える。回転操作部材６０は、制動力調節に関与する回動操作部６０Ａと、回動操作部６０Ａの回動位置の指標となる指標部１１０とを有し、回動操作部６０Ａに対する指標部１１０の位置が回動操作部６０Ａの周方向で変化可能である。【選択図】図４
2020000013.tif 000002
【特許請求の範囲】
【請求項１】
リール本体の側板間に回転可能に支持されて釣糸が巻回されるスプールと、前記リール本体の一方の前記側板に回転自在に支持された制動力調節用の回転操作部材の回転操作によって前記スプールと一体回転するスプール軸の釣糸繰り出し方向の回転に制動力を付与するスプール制動機構とを備える魚釣用リールにおいて、
前記回転操作部材は、制動力調節に関与する回動操作部と、前記回動操作部の回動位置の指標となる指標部とを有し、前記回動操作部に対する前記指標部の位置が前記回動操作部の周方向で変化可能であることを特徴とする魚釣用リール。
【請求項２】
前記指標部は、前記回動操作部の側部に視認可能に設けられることを特徴とする請求項１に記載の魚釣用リール。
【請求項３】
前記指標部は、前記回動操作部と共に一体的に回動可能であるとともに前記回動操作部に対して回転できる環状体の表面に設けられることを特徴とする請求項１又は２に記載の魚釣用リール。
【請求項４】
前記回動操作部には、複数の指掛用突部が周方向に離間形成されていることを特徴とする請求項１から３のいずれか一項に記載の魚釣用リール。
【請求項５】
前記環状体は、前記回動操作部との間に設けられる摩擦抵抗部により回転方向に抵抗力が付与されることを特徴とする請求項３に記載の魚釣用リール。
【請求項６】
魚釣用リールのリール本体に回転可能に支持されるスプールの釣糸繰り出し方向の回転に制動力を付与するために前記リール本体を構成する側板に回転自在に支持される制動力調節用の回転操作部材であって、
制動力調節に関与する回動操作部と、前記回動操作部の回動位置の指標となる指標部とを有し、前記回動操作部に対する前記指標部の位置が前記回動操作部の周方向で変化可能であることを特徴とする回転操作部材。
【請求項７】
前記指標部は、前記回動操作部の側部に視認可能に設けられることを特徴とする請求項６に記載の回転操作部材。
【請求項８】
前記指標部は、前記回動操作部と共に一体的に回動可能であるとともに前記回動操作部に対して回転できる環状体の表面に設けられることを特徴とする請求項６又は７に記載の回転操作部材。
【請求項９】
前記回動操作部には、複数の指掛用突部が周方向に離間形成されていることを特徴とする請求項６から８のいずれか一項に記載の回転操作部材。
【請求項１０】
前記環状体は、前記回動操作部との間に設けられる摩擦抵抗部により回転方向に抵抗力が付与されることを特徴とする請求項８に記載の魚釣用リール。
【発明の詳細な説明】
【技術分野】
【０００１】
本発明は、魚釣用リールに関し、特に、スプール軸の回転に制動力（抵抗力）を付与するスプール制動機構を備える魚釣用リール及びその制動力調節用の回転操作部材に関する。
【背景技術】
【０００２】
この種の魚釣用リール、特に両軸受型リールは、リール本体の側板間に回転自在に支持されるスプールを釣糸巻き取り状態（クラッチＯＮ）と釣糸繰り出し状態（クラッチＯＦＦ）とに切り換えるクラッチ機構と、釣糸繰り出し状態のスプールの回転に制動力（抵抗力）を付与してスプールの回転状態を調整できるようにするスプール制動機構とを備える。
【０００３】
前記スプール制動機構は、一般に、リール本体の一方の側板に回転可能に支持して設けられる調節ツマミを回動操作することにより、スプールと一体に回転するスプール軸の端部に作用する押圧力を加減してスプール軸に所望の摩擦抵抗を付与し、スプールの回転に制動力を付与できる（スプールの回転状態を調節できる）ように構成される。
【０００４】
また、そのようなスプール制動機構の前記調節ツマミは、一般に、指で摘まんで回動操作するようにキャップ状に形成されるが、調節ツマミの操作性の向上を図るべく、調節ツマミと一体に回転する操作レバーを設け、この操作レバーを介して調節ツマミを回転させて制動力を調整できるようにするとともに、操作レバーを調節ツマミに対して着脱自在として調節ツマミに対する操作レバーの位置を変動可能にすることによって釣り人にとって操作し易い常用範囲内で操作レバーを回動できるようにする構造が特許文献１で知られている。
【０００５】
具体的には、この特許文献１に開示される構成によれば、まず、調節ツマミによってスプール軸に対する制動力を調整する。そして、適切な制動力に調整した後に、操作レバーを調節ツマミに取り付ける。操作レバーは調節ツマミに対して周方向の位置調整が可能であるため、操作レバーは操作し易い方向に延びるように配置することができる。このように、釣り条件に適したスプールの制動状態（弱〜強の常用範囲）に調節ツマミを回動操作して設定した後に調節ツマミに取着した操作レバーを操作することにより、スプールの制動状態を容易に把握でき、所望の制動力に瞬時に切り換えることが可能となる。
【先行技術文献】
【特許文献】
【０００６】
【特許文献１】特開２０１６−２２０５４７号
【発明の概要】
【発明が解決しようとする課題】
【０００７】
しかしながら、特許文献１に開示される操作レバーは、釣糸を巻き取る際に回転操作されるハンドルや釣糸巻き取り時の抵抗力を調節するドラグ力調節部材（スタードラグ）の近傍に配設されるため、ハンドルによる巻き取り操作時やドラグ力調節時に邪魔になりこれらの操作性を低下させるとともに、ハンドル側のリール本体の側板を手で保持する際のリール保持性も低下させる。また、操作レバーが側板の前後方向に向けて突出して配置されるため、操作レバーに釣糸が絡み易いとともに、外力や落下等によって操作レバーが損傷する虞もある。
【０００８】
また、操作レバーが調節ツマミと共に回動するため、所望の制動力を引き起こす調節ツマミの回動範囲や位置（例えば制動力の常用範囲の最大位置）が釣りの状況に応じて（仕掛けの錘の重さ、水深、釣り方などによって）変動する場合には、その都度操作レバーを調節ツマミから取り外して調整し直さなければならず、さもなければ、ハンドル巻き取り操作等にとって邪魔になる位置に操作レバーが回動する場合もある。
【０００９】
本発明は、上記した問題に着目してなされたものであり、ハンドル等の他の操作部材の操作性やリール保持性などに影響を及ぼすことなく、所望の制動力常用範囲（所望の最大制動力）をもたらす回動操作範囲（回動位置）である設定制動範囲（位置）が釣況に応じて変動する場合でも、その設定制動範囲（位置）を容易に調整し直すことができる（設定制動範囲（位置）の再現操作を容易に行なえる）制動力調節用の回転操作部材及びそのような回転操作部材を備える魚釣用リールを提供することを目的とする。
【課題を解決するための手段】
【００１０】
上記した目的を達成するために、本発明は、リール本体の側板間に回転可能に支持されて釣糸が巻回されるスプールと、前記リール本体の一方の前記側板に回転自在に支持された制動力調節用の回転操作部材の回転操作によって前記スプールと一体回転するスプール軸の釣糸繰り出し方向の回転に制動力を付与するスプール制動機構とを備える魚釣用リールにおいて、前記回転操作部材は、制動力調節に関与する回動操作部と、前記回動操作部の回動位置の指標となる指標部とを有し、前記回動操作部に対する前記指標部の位置が前記回動操作部の周方向で変化可能であることを特徴とする。
【００１１】
上記構成において、リールの操作者（釣り人）は、例えば、回転操作部材（回動操作部）が回転（回動）して指標部が所定の回動位置（視界内位置）に位置するときに所望の最大制動力が生起されるように回動操作部に対する指標部の周方向位置を設定することにより、所望の制動力常用範囲（所望の最大制動力）をもたらす回転操作部材（回動操作部）の回動操作範囲（回動位置）である設定制動範囲（位置）を決めることができるが、その設定制動範囲（位置）が釣況に応じて変動する場合でも、その設定制動範囲（位置）を、回動操作部に対して指標部の位置を周方向で変位させることにより容易に調整し直すことができる（設定制動範囲（位置）の再現操作を容易に行なえる）。
【００１２】
リールの操作者（釣り人）は、実釣時、回転操作部材（回動操作部）の回転操作時に指標部を視認することでスプールの釣糸繰り出し方向の回転に所望の制動力を容易に付与することができるが、回動操作部に対する指標部の位置を回動操作部の周方向で変化可能にする手段としては、例えば、回動操作部と共に一体的に回動可能であるとともに回動操作部に対して回転できる環状体の表面に指標部を設けること、或いは、指標部を回動操作部の周方向に沿って互いに離間して複数設け、各指標部を回動操作部に対してその側方で選択的に突没自在にすることなどを挙げることができる。このような構成の指標部位置可変手段は、ハンドル等の他の操作部材の操作性やリール保持性などに影響を及ぼすことなく指標部の位置を回転操作部材（回動操作部）の周方向で変化可能にし得るだけでなく、回転操作部材の動きとは独立に環状体を回転操作するだけで或いは指標部を回動操作部に対して突没させるだけで釣況に応じた指標部の位置調整を容易にし得るため、有益である。
【００１３】
なお、上記構成において、指標部は、回動操作部の側部に視認可能に設けられることが好ましく、回動操作部の側部以外の方向からも更に視認できることがより好ましい。具体的には、指標部は、スプール軸の軸方向と直交する方向に面する回転操作部材の径方向周端面に設けられることが好ましく、更に、スプール軸の軸方向に面する回転操作部材の側面にも設けられることがより好ましい。
【００１４】
また、本発明は、上記構成の魚釣用リールに設けられる前記回転操作部材も提供する。
【発明の効果】
【００１５】
本発明によれば、ハンドル等の他の操作部材の操作性やリール保持性などに影響を及ぼすことなく、所望の制動力常用範囲（所望の最大制動力）をもたらす回動操作範囲（回動位置）である設定制動範囲（位置）が釣況に応じて変動する場合でも、その設定制動範囲（位置）を容易に調整し直すことができる（設定制動範囲（位置）の再現操作を容易に行なえる）制動力調節用の回転操作部材及びそのような回転操作部材を備える魚釣用リールが得られる。
【図面の簡単な説明】
【００１６】
【図１】本発明の一実施形態に係る魚釣用リールとしての両軸受型リールの全体の概略正面図である。
【図２】図１の魚釣用リールのクラッチＯＮ時の要部断面図である。
【図３】図１の魚釣用リールのクラッチＯＦＦ時の要部断面図である。
【図４】回転操作部材付近の拡大正面図である。
【図５】回転操作部材の半断面図である。
【図６】第１の変形例に係る回転操作部材の断面図である。
【図７】第２の変形例に係る回転操作部材の断面図である。
【図８】第２の変形例に係る回転操作部材の正面図である。
【発明を実施するための形態】
【００１７】
以下、添付図面を参照しながら、本発明の一実施形態に係る魚釣用リールについて説明する。
なお、以下の説明及び図面の全体にわたって、「前、後」「左、右」「上、下」の方向は、図１で規定される方向を基準とする。
【００１８】
図１〜図３に示されるように、魚釣用両軸受型リールのリール本体１は、左右フレーム２ａ，２ｂと、これら左右フレーム２ａ，２ｂに所定の空間を隔ててそれぞれシール材を介して装着される左右側板３ａ，３ｂとを備える。左右フレーム２ａ，２ｂは複数の支柱を介して一体化されており、下方の支柱に設けられるリール脚によってリール本体１が釣竿の図示しないリールシートに装着される。
【００１９】
左右フレーム２ａ，２ｂ（左右側板３ａ，３ｂ）間には、スプール軸５が左右の軸受４Ａ，４Ｂ（左側に位置される軸受４Ａは図示せず）を介して回転可能に支持されており、このスプール軸５には、釣糸が巻回されるスプール６が取り付けられる。
【００２０】
スプール６は、ハンドル１０を回転操作することによって回転されるように構成されており、ハンドル１０は、右側板３ｂから突出したハンドル軸７の端部に取り付けられる。
【００２１】
ハンドル軸７は、右フレーム２ｂと右側板３ｂとの間に、図示しない軸受を介して回転自在に支持されるとともに、右側板３ｂとの間に介在される図示しない一方向クラッチによって釣糸巻き取り方向にのみ回転可能に構成されている。
【００２２】
右フレーム２ｂと右側板３ｂとの間には、ハンドル軸７に回転自在に支持されてハンドル１０の回転運動をスプール軸５側に伝達するためのドライブギア１１が設けられており、また、ハンドル１０の回転操作により回転するこのドライブギア１１に係合して、スプール６に所定のドラグ力を付与する公知のドラグ機構１２が収容されている。ドラグ機構１２は、魚釣時にスプール６から釣糸が繰り出された際に、スプール６に所定のドラグ力を付与するようになっており、ドライブギア１１に当接する複数の摩擦板１２ａを備える。このようなドラグ機構１２は、ハンドル軸７の端部に配設された操作体としてのスタードラグ１３を回動操作することで、ドライブギア１１に対する圧接力が調節されるようになっており、スプール６に対するドラグ力（釣糸巻き取り時の抵抗力）を調節できるように構成される。
【００２３】
ドライブギア１１には、クラッチ機構２０の一部を構成する動力伝達部材としてのピニオンギア２１（ピニオンギア２１の歯２１ｃ）が噛合している。このピニオンギア２１は、ドライブギア１１の回転をスプール６（スプール軸５）に伝達する部材であり、軸方向に貫通する中心孔２１ａが形成されており、この中心孔２１ａにスプール軸５（又はスプール軸５の端面に当接する支持軸であってもよい）が貫通されている。
【００２４】
本実施形態において、スプール軸５の右側は、大径部５Ａと、この大径部５Ａに連続する小径部５Ｂと、小径部５Ｂから延びる軸部５Ｃ（又は小径部５Ｂの端面に当接する別体の支持軸であってもよい）とから成り、軸部５Ｃが前述したようにピニオンギア２１の中心孔２１ａに挿通される。また、スプール軸５は、その（軸部５Ｃの）右端面５ａがリール本体１（右側板３ｂ）の支持部３ｂａに螺合される制動力調節用の回転操作部材６０（本実施形態では、親指等の１本の指で容易にハンドル側から（例えば斜め方向から）押圧してダイヤル式に回転操作できるジョグ操作部材の形態を成す）の内方に設けられる軸方向規制部６２に当て付くことにより軸方向における移動が規制される。そして、後述するように、スプール軸５には、回転操作部材６０が回転操作されることにより所定の押圧力が制動力として付与されるようになっている。
【００２５】
ピニオンギア２１の一部には、周方向に沿って円周溝２１ｂが形成されており、この円周溝２１ｂにクラッチ機構２０を構成するクラッチ部材２３が係合している。クラッチ部材２３は、クラッチ操作部材２４を操作（クラッチＯＮ状態からクラッチＯＦＦ状態へ操作）することにより、付勢部材９０の付勢力に抗して図中右側に向けて駆動されるようになっており、これにより、ピニオンギア２１をスプール軸５に沿って右側に移動させるようになっている。
【００２６】
この場合、ピニオンギア２１は、その両側（ドライブギア１１に噛合する歯部２１ｃのスプール６側及び側板３ｂ側の両側部位）がリール本体１（右フレーム２ｂ，右側板３ｂ、図１参照）に設けられる軸受２４Ａ，２４ＢによりカラーＣ（樹脂材）を介して支持されており、軸受２４Ａ，２４Ｂの内輪内周面に対して軸方向に移動可能に且つ回転自在に接触している。すなわち、ピニオンギア２１は、スプール６に接続する側が第１の軸受２４Ａによって支持されるとともに、スプール６に接続する側と反対の側が第２の軸受２４Ｂによって支持される。なお、カラーＣを削除して軸受２４Ａ，２４Ｂで直接にピニオンギア２１の両側を支持してもよい。
【００２７】
ピニオンギア２１の左端部には、スプール軸５の右端部（小径部５Ｂ）に設けられる係合突部５ｂ，５ｂに係脱可能な凹部２５ａが設けられている。図２に示されるように、凹部２５ａにスプール軸５の係合突部５ｂ，５ｂが係合している状態がクラッチＯＮ状態であり、図３に示されるように、クラッチ機構２０（クラッチ部材２３）によりピニオンギア２１が図中右側に向けて移動されて凹部２５ａから係合突部５ｂ，５ｂが脱した状態（両者の係合状態が解除された状態）がクラッチＯＦＦ状態である。
【００２８】
なお、ピニオンギア２１は、クラッチ操作部材２４を復帰操作することによって或いはハンドル１０の巻き取り操作によって自動的にクラッチＯＦＦ状態からクラッチＯＮ状態へ復帰させることが可能となっている。
【００２９】
以上のように構成される魚釣用リールでは、図２に示されるクラッチＯＮ状態でハンドル１０が回転操作されると、ドライブギア１１に伝達された回転駆動力は、ピニオンギア２１に伝達され、ピニオンギア２１の凹部２５ａに係合している係合突部５ｂ，５ｂを介してスプール軸５に伝達される。これによって、スプール６が回転駆動される。
【００３０】
また、このような図２に示されるクラッチＯＮ状態（釣糸巻き取り状態）からクラッチ操作部材２４が移動操作（クラッチＯＮ状態からクラッチＯＦＦ状態へ操作）されると、クラッチ部材２３が付勢部材９０の付勢力に抗して図中右側に向けて駆動されて、ピニオンギア２１が図中右側に向けて移動され、それにより、図３に示されるようにスプール軸５の係合突部５ｂ，５ｂに対するピニオンギア２１の凹部２５ａの係合が解除される。したがって、スプール６は、ドライブギアからの回転動力の伝達が遮断されるフリー回転可能状態（釣糸繰り出し状態）となる。
【００３１】
その後、再びハンドル１０が回転操作される又はクラッチ操作部材２４が操作されると、クラッチＯＦＦ状態からクラッチＯＮ状態にクラッチ機構２０が復帰され、ピニオンギア２１がスプール軸５側（左側）に移動される。それにより、スプール軸５の係合突部５ｂ，５ｂにピニオンギア２１の端面が回転しながら当接し、スプール軸５の係合突部５ｂ，５ｂがピニオンギア２１の凹部２５ａに嵌入してこれらが係合する状態（釣糸巻き取り状態）となる（図２参照）。その結果、ハンドル１０の回転駆動力がピニオンギア２１からスプール軸５へ伝達される。
【００３２】
また、本実施形態の魚釣用リールは、リール本体１の支持部３ｂａに設けられる前述の回転操作部材６０の回転操作によってスプール６と一体回転するスプール軸５の回転に制動力を付与するスプール制動機構７０を更に備える。この場合、スプール制動機構７０は、スタードラグ１３と干渉しない軸方向長さに抑えられる略有底円筒状の回転操作部材６０の内側収容空間内に設けられる被摩擦制動部７０Ｂと、クラッチ機構２０（クラッチ操作部材２４）の切り換え操作によるピニオンギア２１の前述の軸方向移動によって被摩擦制動部７０Ｂに対して接離してスプール軸５に対する制動力をＯＮ／ＯＦＦ制御する摩擦制動部７０Ａとを有する。
【００３３】
摩擦制動部７０Ａは、例えば、必要に応じて表面処理が施されるステンレス鋼、銅合金、アルミニウム合金等の金属材によって形成されており、スプール軸５の端部（スプール６に接続する側とは反対側の端部）に軸方向移動可能に回り止め嵌合されている。すなわち、摩擦制動部７０Ａは、スプール軸５に対して回転することなくスプール軸５と一体に回転する一方で、スプール軸５に対して軸方向に移動できるようになっている。
【００３４】
また、摩擦制動部７０Ａは、第２の軸受２４Ｂの側部（ピニオンギア２１の歯部２１ｃと反対側の右側）と回転操作部材６０との間に、特に本実施形態ではリール本体１の支持部３ｂａと回転操作部材６０の内側底部に固定される被摩擦制動部７０Ｂとの間に配設されており、支持部３ｂａと回転操作部材６０とによって画定される閉空間内で被摩擦制動部７０Ｂと圧接可能に対向配置される。この場合、摩擦制動部７０Ａと回転操作部材６０との間にはバネ部材（圧縮コイルスプリング）８０が介挿されており、摩擦制動部７０Ａはその径方向内側の環状凹部でバネ部材８０の一端を支持している。
【００３５】
一方、摩擦制動部７０Ａとともにスプール制動機構７０を構成する被摩擦制動部７０Ｂは、例えば、カーボンやパルプ等を主成分とする織布、不織布に合成樹脂を含浸させて硬化させたシート状部材によって形成されて保持体６５によって保持される。この保持体６５は、回転操作部材６０の中心に位置して回転操作部材６０の内側底部からスプール軸５側へ向けて延びる中央突出部６０ａの周囲の環状空間６０ｂ内に嵌着され、また、保持体６５の径方向外側部位の背面と回転操作部材６０の内側底部との間には、ピニオンギア２１を介して摩擦制動部７０Ａを被摩擦制動部７０Ｂに圧接させるためのクラッチ操作部材２４の操作が重くならないようにその操作力を部分的に逃がす（操作力を部分的に吸収する）力吸収部材として例えばＯリング６４が介挿されている。なお、保持体６５は、その径方向内側の環状凹部でバネ部材８０の他端を支持するようになっている。
【００３６】
したがって、このような構成のスプール制動機構７０においては、まず、図２に示されるクラッチＯＮ状態にある場合、摩擦制動部７０Ａがバネ部材８０の付勢力によって被摩擦制動部７０Ｂから離間された位置に保持される。そのため、スプール制動機構７０による制動力がスプール６に作用せず、軽いハンドル操作で釣糸の巻き取りを行なうことができる。これに対し、クラッチ操作部材２４がクラッチＯＮ状態からクラッチＯＦＦ状態へと操作されてピニオンギア２１が図中右側に向けて移動されると、図３に示されるようにピニオンギア２１によって摩擦制動部７０Ａがバネ部材８０の付勢力に抗して右方向へ移動されて、摩擦制動部７０Ａが被摩擦制動部７０Ｂに当接（圧接）する。そのため、回転操作部材６０の締め付け量（回転操作量）に応じた摩擦制動力を（スプール軸５を介して）スプール６のフリー回転に対して作用させることができる。すなわち、このようなスプール制動機構７０によれば、釣糸繰り出し状態でスプール６側に制動力を付与できるとともにその制動力を釣糸巻き取り状態で解除できる。
【００３７】
また、スプール軸５の右端面５ａと当て付いてスプール軸５の軸方向移動を規制する前述した軸方向規制部６２は、回転操作部材６０の内方でスプール軸５の右端面５ａと対向するように回転操作部材６０の中央突出部６０ａの端部に取り付け固定されている。すなわち、軸方向規制部６２は、被摩擦制動部７０Ｂに対してその径方向内側に設けられるような配置関係を成している（回転操作部材６０の内側底部で軸方向規制部６２と被摩擦制動部７０Ｂとが径方向に配設される）。
【００３８】
また、本実施形態において、軸方向規制部６２は、例えば金属材によって形成されて例えば金属製のスプール軸５と常時当接し得るようになっているが、スプール軸５に対する押圧量が所定範囲を超えないように設けられる。すなわち、軸方向規制部６２は、その機能がスプール軸５に制動力を付与することではなくスプール軸５の軸方向移動を規制してそのガタつきを適正に維持又は防止することにあるため、スプール制動機構７０による制動力調整と直接的に干渉しないようにスプール制動機構７０による制動力最大調整時（回転操作部材６０の回転操作量が最大のとき）でもスプール軸５の端部を不必要に押圧しないように規制設定されている。具体的には、例えば回転操作部材６０の所定量の回転操作量で回転操作部材６０に保持される軸方向規制部６２がそれ以上スプール軸５側へ移動しないように軸方向規制部６２と当接する度当て部が適切な位置に設けられ、それにより、スプール軸５の適切な軸方向規制が制動操作に関係なく維持できるようになっている。
【００３９】
また、本実施形態では、回転操作部材６０の回転に節度のある抵抗力を付与する回転節度発生部１００が回転操作部材６０の内方に設けられている。具体的には、例えば、回転操作部材６０によって覆われるリール本体１の支持部３ｂａ側の部位に設けられるバネ性を有する係合凸部３ｂａａが回転操作部材６０の内周に形成された凹凸部１００ａに対して弾発的に係合することにより（発条の弾発力に抗した係止部と係止部の乗り越えとによる節度回転により）規則正しい適度な摩擦抵抗力を有するクリック音を発生するようになっており、回転操作部材６０は、スプール制動機構７０によって不用意に回転しないように抑制されている。このような回転節度発生部１００の配置により、回転操作部材６０の内側には、その中心部から径方向外方に向けて、軸方向規制部６２、被摩擦制動部７０Ｂ、及び、回転節度発生部１００が順に限られたスペース内にコンパクトに配設される状態となる。
【００４０】
また、このようなスプール制動機構７０による制動力を調節するために用いられる前述の回転操作部材６０は、図４に拡大して示されるように、略円形の断面を有しており、前述したように親指等の１本の指で容易にハンドル側から（例えば斜め方向から）押圧してダイヤル式に回転操作できるジョグ操作部材の形態を成す。この場合、回転操作部材６０は、ハンドル１０と側板３ｂとの間（図では、スタードラグ１３と側板３ｂとの間）に位置されており（図１も参照）、制動力調節に関与する回動操作部６０Ａと、回動操作部６０Ａの回動位置の指標となる指標部１１０とを有している。
【００４１】
回動操作部６０Ａは、スプール軸５の軸方向（回動操作部６０Ａの回転中心軸方向）と直交する方向に面する径方向周端面６０ｓと、スプール軸５の軸方向（回動操作部６０Ａの回転中心軸方向）に面する周側面６０ｔとを有しており、径方向周端面６０ｓからは、複数（例えば８個）の指掛用側方突部９０及び指掛用外周突部９２が一体形成されて連続的に側方（ハンドル１０側）及び径方向外側に延びている。この場合、複数の指掛用側方突部９０は、ハンドル１０に向けて側方に例えば０．５ｍｍ〜５ｍｍ（好ましくは、１．５ｍｍ〜３ｍｍ）の長さで突出して互いに周方向に例えば等間隔で離間されており、一方、複数の指掛用外周突部９２は、径方向外側に向けて例えば０．５ｍｍ〜５ｍｍ（好ましくは、１．５ｍｍ〜３ｍｍ）の長さで突出して互いに周方向に例えば等間隔で離間されており、好ましくはハンドル１０側へ向けて徐々に斜めに立ち上がる（厚さが増す）ように延びている。
【００４２】
また、本実施形態において、回動操作部６０Ａの回動位置の指標となる前記指標部１１０は、図４及び図５に示されるように、回動操作部６０Ａに対するその位置を回動操作部６０Ａの周方向で変えられるように回動操作部６０Ａの側部に視認可能に設けられており、具体的には、回動操作部６０Ａと共に一体的に回動可能であるとともに回動操作部６０Ａに対して回転できる環状体６０Ｂの表面、本実施形態ではスプール軸５の軸方向と直交する方向に面する環状体６０Ｂの径方向周端面６０Ｂａに設けられる。
【００４３】
この場合、環状体６０Ｂは、指掛用側方突部９０よりもハンドル１０側へ突出する回動操作部６０Ａの小径の円筒突出部６０Ａｂの外周面上に、回動操作部６０Ａに対して相対回転可能に装着されており、円筒突出部６０Ａｂの突出端に取着された抜け止め環状部材１２０によって円筒突出部６０Ａｂからの脱落が阻止されている。また、環状体６０Ｂの内周面と円筒突出部６０Ａｂの外周面との間には、環状体６０Ｂの回転方向に所定の摩擦抵抗力を付与する摩擦抵抗部を構成するためのＯリング１２２が介挿されており、このＯリング１２２は、円筒突出部６０Ａｂの外周面に形成される環状溝６０Ａａ内に部分的に係合して装着されている。
【００４４】
なお、環状体６０Ｂの回転方向に抵抗力を持たせるための摩擦抵抗部の他の手段としては、前記Ｏリング１２２以外に、例えば前述した回転節度発生部１００と同様な公知の回転方向の凹凸部に弾性係合部（バネ付勢したピンや板バネ等）を弾発係合させる節度構造を成すクリック機構を挙げることができる。
【００４５】
以上説明したように、本実施形態の魚釣用リールによれば、リールの操作者（釣り人）は、例えば、回転操作部材６０（回動操作部６０Ａ）が回転（回動）して指標部１１０が所定の回動位置（視界内位置）に位置するときに所望の最大制動力が生起されるように回動操作部６０Ａに対する指標部１１０の周方向位置を設定することにより、所望の制動力常用範囲（所望の最大制動力）をもたらす回転操作部材６０（回動操作部６０Ａ）の回動操作範囲（回動位置）である設定制動範囲（位置）を決めることができるが、その設定制動範囲（位置）が釣況に応じて変動する場合でも、その設定制動範囲（位置）を、環状体６０Ｂを回動操作部６０Ａに対して回転させて回動操作部６０Ａに対する指標部１１０の位置を周方向で変位させることにより容易に調整し直すことができる（指標部１１０の前後方向の回動位置を確認することで設定制動範囲（位置）の再現操作を容易に行なえる）。
【００４６】
また、本実施形態の構成において、リールの操作者（釣り人）は、実釣時、回転操作部材６０（回動操作部６０Ａ）の回転操作時に指標部１１０を視認することでスプール６の釣糸繰り出し方向の回転に所望の制動力を容易に付与することができるが、回動操作部６０Ａに対する指標部１１０の位置を回動操作部６０Ａの周方向で変化可能にする環状体６０Ｂは、ハンドル１０等の他の操作部材の操作性やリール保持性などに影響を及ぼすことなく回動操作部６０Ａの動きとは独立に回転操作するだけで釣況に応じた指標部１１０の位置調整を容易にし得るため、有益である。
【００４７】
図６は、回転操作部材６０の第１の変形例を示している。この変形例に係る回転操作部材６０の環状体６０ＢＢは、回動操作部６０Ａの小径の前述した円筒突出部６０Ａｂの外周面上から更に円筒突出部６０Ａｂの突出端面上へと延びており、結果として、スプール軸５の軸方向（環状体６０ＢＢの回転中心軸方向）と直交する方向に面する径方向周端面６０ＢＢａと、スプール軸５の軸方向（環状体６０ＢＢの回転中心軸方向）に面する周側面６０ＢＢｂとを有している。そして、この環状体６０ＢＢの外表面上には、径方向周端面６０ＢＢａと周側面６０ＢＢｂとにわたって指標部１１０が設けられる。なお、環状体６０ＢＢは、回動操作部６０Ａの円筒突出部６０Ａｂに回動可能に装着されて円筒突出部６０Ａｂの突出端に取着された抜け止め環状部材１３０によって回動方向の位置決めと共に円筒突出部６０Ａｂからの脱落が阻止されている。
【００４８】
このような環状体６０ＢＢによれば、スプール軸５の軸方向と直交する方向（リールを保持する釣り人から見て例えば上方）及びスプール軸５の軸方向（リールを保持する釣り人から見て例えば側方）の両方向から指標部１１０を視認することができ、釣況に応じた指標部視認形態をとることができる。
【００４９】
図７及び図８は、回転操作部材６０の第２の変形例を示している。この変形例に係る回転操作部材６０の指標部１１０Ａは回動操作部６０Ａの周方向に沿って互いに離間して複数（本実施形態では１２個）設けられ、各指標部１１０Ａは回動操作部６０Ａに対してその側方で選択的に突没自在となっている。具体的には、回動操作部６０Ａの小径の円筒突出部６０Ａｂの外周面６０Ａｂａ上には、スプール軸５の軸方向に沿ってハンドル１０へ向けて延びる複数（本実施形態では１２個）のレール１４０が等しい角度間隔を隔てて配置されており、各レール１４０上にはピン状の形態を成す対応する指標部１１０Ａが摺動自在に装着されている。ピン状の指標部１１０Ａは、指で容易に摘むことができる鍔部を先端に有しており、指で摘まんで円筒突出部６０Ａｂ上から側方（スプール軸５の軸方向）に向けてハンドル１０側へ引き出すことができるようになっている。なお、側方に引き出されたピン状の指標部１１０Ａは、引き出し端部位置で例えばレール１４０上に設けられる図示しない例えば段差状の係止部に凹凸嵌合などの圧入手段によって係止されてその引き出し位置を保持できるようになっている。
【００５０】
したがって、リールの操作者（釣り人）は、回転操作部材６０（回動操作部６０Ａ）が回転（回動）されて引き出された指標部１１０Ａが所定の回動位置（視界内位置）に位置するときに所望の最大制動力が生起されるように対応する１つの指標部１１０Ａを選択して回動操作部６０Ａに対して側方に引き出すことにより、所望の制動力常用範囲（所望の最大制動力）をもたらす回転操作部材６０（回動操作部６０Ａ）の回動操作範囲（回動位置）である設定制動範囲（位置）を決めることができる。すなわち、前述した実施形態及び第１の変形例は、回動操作部６０Ａに対する指標部１１０の周方向位置を連続的に変化させる（調整する）ことができるが、この第２の変形例は、回動操作部６０Ａに対する指標部１１０Ａの周方向位置を段階的に（この例では１２段階に）変化させる（調整する）ことができる。
【００５１】
なお、本発明は、前述した実施形態等に限定されず、その要旨を逸脱しない範囲で種々変形して実施できる。例えば、指標部の位置は、回動操作部に対して周方向に変更可能に保持できればよく、その具体的方法は前述した実施形態等に限定されない。また、図４に示されるように、回動操作部６０Ａに位置設定された指標部１１０（又は１１０Ａ）に対向するリール本体１の右側板３ｂの任意の位置、例えば上部や前部にマークＭ（●）を付しておくことが好ましい。このようにすることで、回転操作部材６０を回転操作することによる設定制動力への再現操作をより確実に容易に行なうことができる。
【符号の説明】
【００５２】
１  リール本体
３ａ，３ｂ  側板
５  スプール軸
６  スプール
６０  回転操作部材
６０Ａ  回動操作部
６０Ｂ  環状体
７０  スプール制動機構
１１０，１１０Ａ  指標部
１２２  Ｏリング（摩擦抵抗部）
【図１】
2020000013.tif 000003
【図２】
2020000013.tif 000004
【図３】
2020000013.tif 000005
【図４】
2020000013.tif 000006
【図５】
2020000013.tif 000007
【図６】
2020000013.tif 000008
【図７】
2020000013.tif 000009
【図８】
2020000013.tif 000010